(57)【特許請求の範囲】
【請求項１】
サイドバイサイド方式の立体映像をラインバイライン方式の立体映像に変換する立体フォーマット変換部を備え、立体映像を表示する映像表示装置であって、
視聴中の映像が出力されているモニタの種別を取得する取得手段と、
視聴中の映像が２次元映像か立体映像かを判別する判別手段と、
前記視聴中の映像が立体映像の場合に、視聴中の映像が外部モニタに出力されているときには、前記立体フォーマット変換部の変換処理を停止させて立体映像を出力するように制御し、視聴中の映像が内蔵モニタに出力されているときには、前記立体フォーマット変換部に変換処理を行わせて立体映像を出力するように制御する制御手段とを備えたことを特徴とする映像表示装置。
【請求項２】
前記制御手段は、
視聴中の映像が外部モニタに出力されている場合には、前記立体フォーマット変換部に入力される立体映像を通過させて出力するように制御する、ことを特徴とする請求項１記載の映像表示装置。
【請求項３】
前記制御手段は、
視聴中の映像が外部モニタへの出力から内蔵モニタへの出力に切り替えられた場合には、前記立体フォーマット変換部に変換処理を行わせて立体映像を出力するように制御する、ことを特徴とする請求項１記載の映像表示装置。
【請求項４】
前記制御手段は、
視聴中の映像が立体映像で、かつ内蔵モニタの表示がウィンドウモードである場合、視聴中の映像が内蔵モニタへの出力から外部モニタへの出力に切り替えられたとき、フルスクリーンモードで表示を行うように制御する、ことを特徴とする請求項１乃至請求項３記載の映像表示装置。
【請求項５】
サイドバイサイド方式の立体映像をラインバイライン方式の立体映像に変換する立体フォーマット変換部を備え、立体映像を表示する映像表示方法であって、
視聴中の映像が出力されているモニタの種別を取得する取得ステップと、
視聴中の映像が２次元映像か立体映像かを判別する判別ステップと、
前記視聴中の映像が立体映像の場合に、視聴中の映像が外部モニタに出力されているときには、前記立体フォーマット変換部の変換処理を停止させて立体映像を出力するように制御し、視聴中の映像が内蔵モニタに出力されているときには、前記立体フォーマット変換部に変換処理を行わせて立体映像を出力するように制御する制御ステップとを有することを特徴とする映像表示方法。
【発明の詳細な説明】
【技術分野】
【０００１】
本発明は、２次元映像と立体映像とを切り替えて表示することが可能な映像表示装置および映像表示方法に関する。
【背景技術】
【０００２】
従来の映像表示装置としては、立体映像の表示に対応可能な内蔵モニタを搭載した、テレビ機能付きのパーソナルコンピュータが知られている。このようなパーソナルコンピュータを用いて立体映像の放送や立体映像のＤＶＤ等の立体映像コンテンツを視聴する場合、デコーダ内ではモニタの表示方式に対応して、例えばサイドバイサイド（Ｓｉｄｅ  ｂｙ  Ｓｉｄｅ、以下ＳｂＳ）方式からラインバイライン（Ｌｉｎｅ  ｂｙ  Ｌｉｎｅ、以下ＬｂＬ）方式への変換など、立体映像フォーマットに変換している。なお、図３（ａ）はＳｂＳ方式の映像をそのままモニタに表示したときの様子を示し、図３（ｂ）はＬｂＬ方式の映像をモニタに表示したときの様子を示している。
【０００３】
しかしながら、ユーザが不用意にも、立体映像の視聴中にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した外部モニタに出力先を切り替えた場合、そのまま立体映像フォーマットとしてＬｂＬ方式に変換した映像を外部モニタ上に表示すると、表示された映像が裸眼では非常に見づらくなってしまうといった問題があった。この理由は、ＬｂＬ方式の立体映像の場合、ライン毎に右目用の映像と左目用の映像とが交互に出力されるため、ユーザは偏向メガネをかける必要があるからである。
【０００４】
従来の映像表示装置としては、特許文献１に記載の「立体映像伝送システム」が報告されている。
特許文献１によると、記録再生装置では、事前に表示装置の立体映像表示能力を取得し、取得した表示能力に合わせてＨＤＭＩの伝送フォーマットに変換しておき、他方、表示装置では、伝送フォーマットを表示フォーマットに変換し、表示フォーマットで立体映像を表示する技術が開示されている。
【先行技術文献】
【特許文献】
【０００５】
【特許文献１】特開２０１０−８８０９２号公報
【発明の概要】
【発明が解決しようとする課題】
【０００６】
そこで、立体映像を内部モニタで視聴中に外部モニタに出力先を切り替えた場合でも、外部モニタから視認し易い映像を出力することが切望されている。
本発明は、立体映像を内部モニタで視聴中に外部モニタに出力先を切り替えた場合でも、外部モニタから視認し易い映像を出力することができる映像表示装置および映像表示方法を提供することを目的とする。
【課題を解決するための手段】
【０００７】
上記課題を解決するために、請求項１記載の発明は、サイドバイサイド方式の立体映像をラインバイライン方式の立体映像に変換する立体フォーマット変換部を備え、立体映像を表示する映像表示装置であって、視聴中の映像が出力されているモニタの種別を取得する取得手段と、視聴中の映像が２次元映像か立体映像かを判別する判別手段と、前記視聴中の映像が立体映像の場合に、視聴中の映像が外部モニタに出力されているときには、前記立体フォーマット変換部の変換処理を停止させて立体映像を出力するように制御し、視聴中の映像が内蔵モニタに出力されているときには、前記立体フォーマット変換部に変換処理を行わせて立体映像を出力するように制御する制御手段とを備えたことを特徴とする。
【０００８】
請求項５記載の発明は、サイドバイサイド方式の立体映像をラインバイライン方式の立体映像に変換する立体フォーマット変換部を備え、立体映像を表示する映像表示方法であって、視聴中の映像が出力されているモニタの種別を取得する取得ステップと、視聴中の映像が２次元映像か立体映像かを判別する判別ステップと、前記視聴中の映像が立体映像の場合に、視聴中の映像が外部モニタに出力されているときには、前記立体フォーマット変換部の変換処理を停止させて立体映像を出力するように制御し、視聴中の映像が内蔵モニタに出力されているときには、前記立体フォーマット変換部に変換処理を行わせて立体映像を出力するように制御する制御ステップとを有することを特徴とする。
【発明の効果】
【０００９】
本発明によれば、立体映像を内蔵モニタで視聴中に外部モニタに出力先を切り替えた場合でも、外部モニタから視認し易い映像を出力することができる。
【図面の簡単な説明】
【００１０】
【図１】本発明の実施形態に係る映像表示装置の構成について説明するためのブロック図である。
【図２】本発明の実施形態に係る映像表示装置の動作概要について説明するためのフローチャートである。
【図３】（ａ）はＳｂＳ方式の映像をそのままモニタに表示したときの様子を示す図であり、（ｂ）はＬｂＬ方式の映像をモニタに表示したときの様子を示す図であり、（ｃ）は３Ｄフォーマット変換部１５がＳｂＳ方式の映像をＬｂＬ方式の映像に変換したときの様子を示す模式図である。
【発明を実施するための形態】
【００１１】
以下、図面を参照して、本発明の実施形態について説明する。
まず、図１を参照して、本発明の実施形態に係る映像表示装置の構成について説明する。
本実施形態の映像表示装置１は、図１に示すように、放送データ受信部１２、２Ｄ放送／３Ｄ放送判別部１３、デコード処理部１４、３Ｄフォーマット変換部１５、映像表示出力部１６、内蔵モニタ１７、モニタ出力切替部１８、内蔵／外部モニタ判別部１９を備えている。
【００１２】
詳しくは、放送データ受信部１２は、アンテナ１１を介して地上波デジタル放送や衛星放送などにより放送される放送波のうち、チャンネルの選択に応じて所望の番組の電波をチューナ部（図示しない）で受信し、復調部（図示しない）で放送データに復調して出力する。
【００１３】
２Ｄ放送／３Ｄ放送判別部１３は、放送データ受信部１２から出力される放送データを解析して現在受信中の番組が２Ｄ放送か３Ｄ放送かを判別して、判別結果を出力する。
例えば、２Ｄ放送／３Ｄ放送判別部１３は、地上波、ＢＳ（放送衛星）、ＣＳ（通信衛星）を使ったデジタル放送において、伝送データのビデオストリームに含まれる識別子によって３Ｄ放送であると判別する。
また、ビデオストリームに識別子が存在しない場合は、外部からの指示により２Ｄまたは３Ｄに固定して切り替えることも可能である。
【００１４】
デコード処理部１４は、放送データのデコード処理を実行し、２Ｄ映像データ（３Ｄ放送の場合はＳｂＳ方式の映像データ）を生成する。デコード処理部１４は、ストリームを構成する映像ストリーム、音声ストリームをそれぞれ復号し、例えば、ＭＰＥＧ２等で圧縮された３Ｄ圧縮映像データをベースバンドのＳｂＳ映像データに復号して復元する。
なお、ＳｂＳ方式は、フレーム内にＬ、Ｒ画像を画面の左右に並べる方式である。
【００１５】
３Ｄフォーマット変換部１５は、ＳｂＳ映像データをＬｂＬ方式の３Ｄフォーマットに変換する。３Ｄフォーマット変換部１５がＳｂＳ方式の映像データをＬｂＬ方式の映像データに変換すると、図３（ｃ）に示すようになり、詳しくは、ＬｂＬ方式では１つのフレーム内にＬ、Ｒ画像を１ラインごとに交互に並べられる。
また、３Ｄフォーマット変換部１５には変換制御部１５ａが設けられており、変換制御部１５ａは、視聴中の映像が３Ｄ映像の場合に、視聴中の映像が外部モニタ２１に出力されているときには、３Ｄフォーマット変換部１５の変換処理を停止させて２Ｄ映像を出力するように制御し、視聴中の映像が内蔵モニタ１７に出力されているときには、３Ｄフォーマット変換部１５に変換処理を行わせて３Ｄ映像を出力するように制御する。
【００１６】
映像表示出力部１６は、表示フォーマットに変換された２Ｄ映像データまたは３Ｄ映像データで装置内に設けられた内蔵モニタ１７、装置の外部に設けられた外部モニタ２１をそれぞれ駆動制御する。
映像表示出力部１６は、３Ｄ放送を内蔵モニタ１７にウィンドウモードで表示していた場合に、内蔵モニタ１７から外部モニタ２１への切替が行われたときには、３Ｄ放送をフルスクリーンモード表示に変換して外部モニタ２１に出力することも可能である。
【００１７】
内蔵モニタ１７は、装置内に設けられており、例えば液晶ディスプレイ（ＬＣＤ）であり、２Ｄ映像または３Ｄ映像を表示可能である。内蔵モニタ１７は、３Ｄ放送を表示するときにウィンドウモードまたはフルスクリーンモードで表示可能である。
外部モニタ２１は、装置の外部に設けられており、例えば液晶ディスプレイ（ＬＣＤ）であり、２Ｄ映像または３Ｄ映像を表示する。なお、外部モニタ２１は、３Ｄ専用モニタであってもよい。外部モニタ２１は、映像データに含まれる識別子によって３Ｄ放送であると判別し、入力されるＳｂＳ方式の映像を３Ｄ変換してＬｂＬ方式の３Ｄ映像データを生成し、フルスクリーンモードのＬｂＬ方式の３Ｄ映像を表示する。
【００１８】
モニタ出力切替部１８は、装置内に設けられた内蔵モニタ１７に映像を表示させるのか、装置の外部に設けられた外部モニタ２１に映像を表示させるのかをユーザ設定が可能な設定値を参照して切替える。モニタ出力切替部１８は、このユーザ設定が可能な設定値を読み出し、これをモニタ設定情報として内蔵／外部モニタ判別部１９に出力する。
内蔵／外部モニタ判別部１９は、モニタ出力切替部１８からモニタ設定情報を取得し、このモニタ設定情報に基づいて、現在表示中のモニタが内蔵モニタであるか外部モニタであるか、すなわち、装置内に設けられた内蔵モニタ１７に映像を表示させているのか、装置の外部に設けられた外部モニタ２１に映像を表示させているのかを判別する。
【００１９】
次に、図２を参照して、本発明の実施形態に係る映像表示装置１の基本的な動作について説明する。なお、３Ｄフォーマット変換部１５に設けられた変換制御部１５ａが、内部のＣＰＵによりＲＯＭに記憶されている制御プログラムを読み出して以下のステップＳ１０〜Ｓ７０をマルチタスク処理により実行することとする。
【００２０】
いま、ユーザが所望の番組を視聴するために、放送チャンネルを選択したとする。放送データ受信部１２は、アンテナ１１を介して地上波デジタル放送や衛星放送などにより放送される放送波のうち、チャンネルの選択に応じて所望の番組の電波をチューナ部で受信し、復調部で放送データに復調して出力する。
まず、ステップＳ１０では、変換制御部１５ａは、２Ｄ放送／３Ｄ放送判別部１３で判別された結果を参照して、現在受信中の放送データについての判別結果を内部メモリ（図示しない）に記憶する。
【００２１】
次いで、ステップＳ２０では、変換制御部１５ａは、デコード処理部１４に放送データのデコード処理を実行させ、２Ｄ映像データまたはＳｂＳ方式の映像データを生成させる。デコード処理部１４では、ストリームを構成する映像ストリームを復号し、例えば、２Ｄ映像データ、または、ＭＰＥＧ２等で圧縮された３Ｄ圧縮映像データをベースバンドのＳｂＳ映像データに復号して復元する。
【００２２】
上記ステップＳ１０およびステップＳ２０に並走して、ステップＳ３０が実行されている。ステップＳ３０では、変換制御部１５ａは、内蔵／外部モニタ判別部１９にモニタ出力切替部１８からモニタ設定情報を取得させ、このモニタ設定情報に基づいて、現在表示中のモニタが内蔵モニタであるか外部モニタであるか、すなわち、装置内に設けられた内蔵モニタ１７に映像を表示させているのか、装置の外部に設けられた外部モニタ２１に映像を表示させているのかを判別させ、判別結果を内部メモリに記憶する。
【００２３】
次いで、ステップＳ４０では、変換制御部１５ａは、現在表示中のモニタについての上記判別結果を内部メモリから読み出し、内蔵モニタ１７に映像を表示させている場合にはステップＳ５０に進み、他方、上記判別結果により、外部モニタ２１に映像を表示させている場合にはステップＳ７０に進む。
【００２４】
次いで、ステップＳ５０では、変換制御部１５ａは、現在受信中の番組が２Ｄ放送か３Ｄ放送かを判別した判別結果を内部メモリから読み出し、３Ｄ放送を受信中である場合にはステップＳ６０に進み、他方、上記判別結果により、２Ｄ放送を受信中である場合にはステップＳ７０に進む。
【００２５】
以下、ステップＳ４０およびステップＳ５０での判断状況に応じて、場合分けして映像表示装置１の動作を説明する。
（１）３Ｄ映像を内蔵モニタに表示する場合
ステップＳ５０からステップＳ６０に処理が移行した場合は、内蔵モニタ１７に映像を表示させており、かつ、３Ｄ放送を受信中であるので、現在の映像ストリームはＳｂＳ映像データである。
ここで、ステップＳ６０では、変換制御部１５ａは、３Ｄフォーマット変換部１５に、ＳｂＳ映像データをＬｂＬ方式の３Ｄフォーマットに変換させる。次いで、ステップＳ７０では、変換制御部１５ａは、３Ｄフォーマット変換部１５によりＬｂＬ方式の３Ｄフォーマットに変換された３Ｄ映像データを映像表示出力部１６に出力させる。
映像表示出力部１６は、３Ｄ映像データを装置内に設けられた内蔵モニタ１７に出力し、内蔵モニタ１７に３Ｄ映像を表示する。なお、映像表示出力部１６は、３Ｄ映像を内蔵モニタ１７に表示するときにウィンドウモードまたはフルスクリーンモードで表示可能である。
これにより、図３（ｂ）に示すように、内蔵モニタ１７からＬｂＬ方式の３Ｄ映像データを出力することができる。
【００２６】
（２）２Ｄ映像を内蔵モニタに表示する場合
ステップＳ４０からステップＳ５０の判断を経てステップＳ７０に処理が移行した場合は、内蔵モニタ１７に映像を表示させており、かつ、２Ｄ放送を受信中であるので、現在の映像ストリームは２Ｄ映像データである。
ここで、ステップＳ７０では、変換制御部１５ａは、３Ｄフォーマット変換部１５に対して、３Ｄフォーマット変換を停止させ、デコード処理部１４から出力される２Ｄ映像データを３Ｄフォーマット変換部１５を通過させて映像表示出力部１６に出力させる。
映像表示出力部１６は、２Ｄ映像データを装置内に設けられた内蔵モニタ１７に出力し、内蔵モニタ１７に２Ｄ映像を表示する。
【００２７】
（３）外部モニタに表示する場合
ステップＳ４０から分岐してステップＳ７０に処理が移行した場合は、現在、２Ｄ放送または３Ｄ放送のどちらを受信中であっても、外部モニタ２１に映像を表示させる必要がある。
ここで、ステップＳ７０では、変換制御部１５ａは、３Ｄフォーマット変換部１５に対して、３Ｄフォーマット変換を停止させ、デコード処理部１４から出力される２Ｄ映像データまたはＳｂＳ方式の３Ｄ映像データを３Ｄフォーマット変換部１５を通過させてそのまま映像表示出力部１６に出力させる。
この際、２Ｄ映像をウィンドウモードで表示していると、外部モニタ２１側で３Ｄ変換表示を実行する場合に、ウィンドウ枠外の画像まで３Ｄ変換されてしまい、正しく３Ｄ表示することができなくなる。そこで、３Ｄ映像を内蔵モニタ１７に表示するときにウィンドウモードで表示していた場合には、映像表示出力部１６は、フルスクリーンモード表示に変換して外部モニタ２１に出力することも可能とする。これにより、外部モニタ２１側で３Ｄ変換表示を正しく実行することが可能となる。
【００２８】
現在、２Ｄ放送を受信中の場合には、映像表示出力部１６は、２Ｄ映像データを外部に設けられた外部モニタ２１に出力する。
【００２９】
他方、現在、３Ｄ放送を受信中の場合には、図３（ａ）に示すように、ＳｂＳ方式の３Ｄ映像がそのまま映像表示出力部１６に入力され、映像表示出力部１６でＳｂＳ方式の３Ｄ映像がフルスクリーンモード表示に変換されて外部モニタ２１に出力される。そして、外部モニタ２１が３Ｄ変換機能を持つ場合は、その３Ｄ変換機能を用いて３Ｄ映像を表示する。
この際、ＳｂＳ方式の３Ｄ映像をウィンドウモードで表示すると、外部モニタ２１側で３Ｄ変換した場合、ウィンドウ枠外の画像まで３Ｄ変換されてしまい、正しく３Ｄ表示することができなくなってしまう。そこで、ＳｂＳ方式の３Ｄ映像を内蔵モニタ１７にウィンドウモードで表示していた場合には、映像表示出力部１６は、フルスクリーンモード表示に変換して外部モニタ２１に出力することも可能とする。これにより、外部モニタ２１側で３Ｄ変換表示を正しく実行することが可能となる。
これにより、上記（１）において、ＬｂＬ方式の３Ｄ映像データを内蔵モニタで視聴中に、ユーザが外部モニタに出力先を切り替えた場合でも、外部モニタから視認し易いフルスクリーンモードの映像を表示することができる。
【００３０】
＜その他の実施形態＞
以上のように、上記実施形態の映像表示装置１は、放送データ受信部１２により受信されている番組が２Ｄ映像または３Ｄ映像の場合に採用される実施形態であったが、本発明はこのような実施形態に限定されず、上記放送データ受信部１２に代わって、ＤＶＤプレーヤやテレビジョン受信機により２Ｄ映像または３Ｄ映像を再生するような実施形態であっても、同様の効果を奏することができる。
【００３１】
また、上記実施形態の映像表示装置１は、３Ｄフォーマット変換部１５によりＳｂＳ映像データをＬｂＬ方式の３Ｄフォーマットに変換させる場合に採用される実施形態であったが、本発明はこのような実施形態に限定されず、上記３Ｄフォーマット変換部１５に代わって、第１の方式の立体映像を別の第２の方式の立体映像に変換するフォーマット変換部であっても、同様の効果を奏することができる。
なお、立体映像の方式としては、上述したＳｂＳ方式、ＬｂＬ方式の他に、タイムシーケンシャル方式（ｔｉｍｅ  ｓｅｑｕｅｎｔｉａｌ）、レンチキュラー方式（ｌｅｎｔｉｃｕｌａｒ）およびパララックスバリア方式（ｐａｒａｌｌａｘ  ｂａｒｒｉｅｒ）の３つの方式があるので、変換前の第１の方式と変換後の第２の方式をこれらの中から組み合わせてもよい。
【産業上の利用可能性】
【００３２】
本発明の映像表示装置は、パーソナルコンピュータ、ＤＶＤプレーヤ、テレビジョン受信機に利用できる。
【符号の説明】
【００３３】
１    映像表示装置
１１    アンテナ
１２    放送データ受信部
１３    ２Ｄ放送／３Ｄ放送判別部
１４    デコード処理部
１５    ３Ｄフォーマット変換部
１５ａ    変換制御部
１６    映像表示出力部
１７    内蔵モニタ
１８    モニタ出力切替部
１９    内蔵／外部モニタ判別部
２１    外部モニタ
【図１】
0005581164.tif 000002
【図２】
0005581164.tif 000003
【図３】
0005581164.tif 000004